(57)【要約】      （修正有）【課題】パソコンと携帯電話機を組み合わせてクレジットカード決済（ＣＡＴ）端末または住民基本台帳システムの利用者端末として動作する端末装置の実現を目的とする。【解決手段】コンピュータと携帯電話機を専用のケーブルにて接続してこの接続動作を制御するソフトウェアにＣＡＴ端末または住民基本台帳システムの利用者端末としての動作を実現するソフトウェアを組み込むことにより、ＣＡＴ端末または住民基本台帳システムの利用者端末として使えるようにすることを特徴としたパソコンと携帯電話機を組み合わせた端末装置である。携帯電話機を組み合わせる手段として、ＩＣカード及び磁気カードを読み込む機構を有する携帯電話機の台座とその形状を考案して、携帯電話の接続を容易にした。【選択図】図１
0003145118.tif 000002
【実用新案登録請求の範囲】
【請求項１】
コンピュータと携帯電話機とこの２つを接続する手段とＣＡＴ端末として動作させるソフトウェアからなるＣＡＴ端末装置
【請求項２】
コンピュータと携帯電話機とこの２つを接続する手段と住民基本台帳システムの利用者端末として動作させるソフトウェアからなる住民基本台帳端末装置
【請求項３】
請求項１または請求項２の端末装置を構成する装置であってＩＣカード及び磁気カードを読み込む機構を有する携帯電話機の台座
【考案の詳細な説明】
【技術分野】
【０００１】
本考案は、クレジット決済に使われるＣＡＴ端末装置と住民基本台帳システムを利用する利用者端末装置に関する。
【背景技術】
【０００２】
【特許文献１】従来、特開平８−８７５４４号にあるように、ＣＡＴ端末装置があったが、特許２６７９８８８号が被引用文献であり、拒絶となっている。ＣＡＴ端末装置関連の特許には次の２つがある。特許２６７９８８８号は、ＰＯＳ端末の小切手処理方法を特徴とする特許権である。また、特許３２２２３０３号は、ＰＯＳ端末装置とＣＡＴ端末装置のデータの重複入力を避ける方法と装置である。
【０００３】
両方共ＣＡＴ端末として専用の装置に関するものである。また、携帯電話機をＣＡＴ端末に使う特許出願は見あたらない。
【０００４】
従来、特３８５２３１９にあるようにＩＣカードに記憶された住民票コードを読み出して出力する利用者用端末装置があったが、携帯電話機を住民基本台帳システムの端末として利用する装置は見あたらない。
【０００５】
従来、登録実用新案にはＣＡＴ端末装置や住民基本台帳端末は見あたらない。
【考案の開示】
【考案が解決しようとする課題】
【０００６】
本考案は、上述の点に鑑みてなされたもので、コンピュータと携帯電話機を組み合わせてＣＡＴ端末（クレジット決済端末）または住民基本台帳システムの利用者端末として動作する端末装置の実現を目的とする。
【０００７】
また、携帯電話機を組み合わせる手段としてＩＣカード及び磁気カードを読み込む機構を有する台座の形状を工夫することにより、組合せ使用を容易にすること目的とする。
【課題を解決するための手段】
【０００８】
上記目的を達成するために、本考案は、コンピュータと携帯電話機を専用のケーブルまたは無線リンクにて接続して、この接続動作を制御するソフトウェアに、ＣＡＴ端末としての動作を実現するソフトウェアを組み込むことにより、ＣＡＴ端末として利用できるようにすることを特徴とするコンピュータと携帯電話機を組み合わせた利用者用装置である。また、携帯電話機を組み合わせる手段として、ＩＣカード及び磁気カードを読み込む機構を有する携帯電話機の台座とその形状を考案した。
【０００９】
また、コンピュータのソフトウェアを、住民基本台帳端末として動作するソフトウェアに替えることにより、住民基本台帳システムを利用できるようにすることを特徴とするコンピュータと携帯電話機を組み合わせた利用者用装置である。携帯電話機を組み合わせる手段として、ＩＣカード及び磁気カードを読み込む機構を有する携帯電話機の台座とその形状を考案した。
【考案の効果】
【００１０】
以上説明したように、本考案の装置は、既存のパソコンと携帯電話機を組み合わせることにより、ＣＡＴ端末機として利用できるようにすることにより、ＣＡＴ端末設置費用を低減することができる。また、パソコンを利用するインターネット販売において、クレジットカード決済時に、クレジットカードの情報を販売先に送ることなく、本考案のＣＡＴ端末機にてクレジット会社との決済をおこない、決済結果のみを販売先に送ることができるようになり、インターネット販売において個人情報を販売先に送ることによる個人情報の用途外利用や個人情報が漏洩する危険性の少ないクレジット決済を利用する端末装置が実現できる。
【００１１】
また、住民基本台帳システムの利用者端末として、携帯電話機を利用できるようにすることにより、利用者端末装置の費用を低減することができる。
【００１２】
また、携帯電話機を組み合わせるＩＣカード及び磁気カードを読み込む機構を有する台座の形状を工夫する本考案によって、使用時に携帯電話機の接続が容易になる。
【考案を実施するための最良の形態】
【００１３】
以下、本考案の実施の形態について図面を参照して詳細に説明する。
【実施例】
【００１４】
図１は、本考案の請求項１と請求項２に係る実施の形態を示す図である。
【００１５】
図１において、携帯端末機３０は、携帯電話機５とクレジットカードや住民基本台帳ＩＣカードの情報を読みとるカードリーダ機能付き台座（Ｃｒａｄｌｅ）１からなる。
【００１６】
図１において、台座１（Ｃｒａｄｌｅ）は、次の機能を有する。
【００１７】
・  携帯電話機５の充電機能
・  コンピュータ６と携帯端末機３０の情報の授受を中継
・  クレジットカードの情報の読み込み
・  住民基本台帳カードの情報の読み込み    
・  コンピュータとの情報の授受      
・  携帯電話機との情報の授受
図１において、携帯電話機５は、次の機能を有する。
【００１８】
・  通常考えられる携帯電話機としての機能
・  台座との情報の授受
・  コンピュータとの情報の授受
・  クレジット会社のサーバと接続してクレジット決済に係わる与信判定や決済情報の     授受    
・  住民基本台帳システムと接続して、住民情報などの授受
図１において、接続ケーブル２０は、コンピュータ３０と携帯端末機１０を接続して信号伝達を行う。
【００１９】
図１において、無線リンク２０−１は、コンピュータと携帯電話機を、例えばブルーツゥースなどの近距離無線通信リンクにて接続して、信号伝達を行う。
【００２０】
図１において、コンピュータ６は、次の機能を有する。
【００２１】
ア、通常考えられるパソコン機能    
イ、インターネット利用端末の機能      
ウ、携帯端末機３０との接続制御        
エ、ＣＡＴ端末機として動作するソフトウェアの動作と制御
オ、住民基本台帳端末機として動作するソフトウェアの動作と制御
図１において、コンピュータ６は、接続ケーブル２０を通じて携帯端末機３０との接続の制御とＣＡＴ端末としての動作を制御するソフトウェアを組み込むことにより、インターネット販売を利用する端末としての動作に加えて、図１における携帯端末機３０をクレジット会社などと接続して携帯電話機５をＣＡＴ端末機として動作させるように構成する。携帯電話機５は台座１を介して、例えば図５に示すように接続する。本端末装置を接続して利用する利用システムの構成の一例を図７に示す。
【００２２】
動作状況は、コンピュータの表示装置６−１に表示される。        
【００２３】
図１において、コンピュータ６は、接続ケーブル２０または無線リンク２０−１を通じて携帯端末機３０との接続の制御と住民基本台帳端末としての動作を制御するソフトウェアを組み込むことにより、パソコンやインターネットの利用端末としての動作に加えて、図１における携帯端末機１０を住民基本台帳ネットワークと接続して携帯電話機５を住民基本台帳システムの利用者端末機として動作させるように構成する。本端末装置を接続して利用する利用システムの構成の一例を図７に示す。
【００２４】
動作状況は、コンピュータの表示装置６−１に表示される。
【００２５】
図１において、コンピュータ６として、パーソナルコンピュータ（パソコン）を利用しても良い。
【００２６】
図２は、本考案の請求項３に係わる実施の形態を示す装置の形状図である。
【００２７】
本考案の台座１には、ＩＣカード及び磁気カードを読み込むリーダ４を下部前面に内蔵する構造としている。台座１を構成する部品の組合せの実施例を図６に示す。
【００２８】
図２において、台座１（Ｃｒａｄｌｅ）は、次の機能を有する。
【００２９】
・  携帯電話機５の充電機能
・  コンピュータ６と携帯端末機３０の情報の授受を中継
・  クレジットカードの情報の読み込み
・  住民基本台帳カードの情報の読み込み  
・  コンピュータとの情報の授受  
・  携帯電話機５との情報の授受
図３は、本考案の請求項３に係わる実施の形態を示す装置の別の形状図である。
【００３０】
本考案の台座１には、ＩＣカード及び磁気カードを読み込むリーダ４を下部前面に内蔵する構造としている。台座１を構成する部品の組合せの実施例を図６に示す。
【００３１】
図４は、本考案の請求項３に係わる実施の形態を示す装置の別の形状図である。
【００３２】
本考案の台座１には、ＩＣカード及び磁気カードを読み込むリーダ４を下部横側に内蔵する構造としている。台座１を構成する部品の組合せの実施例を図６に示す。
【図面の簡単な説明】
【００３３】
【図１】本考案に係わる端末装置の構成図である。コンピュータと携帯電話機とこれらを接続するケーブルまたは無線リンクと、これらの接続とともにＣＡＴ端末機能または住民基本台帳システムの利用者端末機能を制御するソフトウェアの組合せにより新しい端末機とする。
【図２】本考案に係わる端末装置を構成する携帯電話機の台座（Ｃｒａｄｌｅ）の形状図である。
【図３】本考案に係わる端末装置を構成する携帯電話機の台座（Ｃｒａｄｌｅ）の別の形状図である。
【図４】本考案に係わる端末装置を構成する携帯電話機の台座（Ｃｒａｄｌｅ）の別の形状図である。
【図５】本考案に係わる端末装置を構成する携帯電話機の台座（Ｃｒａｄｌｅ）に携帯電話機５を接続した概念図である。
【図６】本考案に係わる端末装置を構成する携帯電話機の台座（Ｃｒａｄｌｅ）のブロック図である。
【図７】本考案に係わる端末装置を接続して利用する利用システムの構成図である。
【符号の説明】
【００３４】
１：カードリーダを具備した台座（Ｃｒａｄｌｅ）
２：台座と携帯型電話機５を接続するコネクター１（Ｃｏｎｎｅｃｔｏｒ-１）
３：台座とコンピュータを接続するコネクター２（Ｃｏｎｎｅｃｔｏｒ-２）
４：台座に内蔵するＩＣカード及び磁気カードを読み込むリーダ（Ｃａｒｄ-Rｅａｄ        ｅｒ）
５：携帯型電話機（Ｃｅｌｌｕｌａｒ）
６：ＣＡＴ端末制御ソフトウェアを具備するコンピュータ（ＰＣ）
６−１：コンピュータの表示装置
７：ＩＣカード（ＩＣ／ＣＡＲＤ）
８：磁気カード（ＭＧ／ＣＡＲＤ）
９：アンテナ（ＡＮＴ）
１０：クレジットカード会社のシステム（Ｃｒｅｄｉｔ ｉｎｄｕｓｔｒｙ）
１１：インターネット利用者（Ｐｕｂｌｉｃ ｏｒｇａｎｉｚａｔｉｏｎ）
１２：電話回線網（ＴＥ）
１３：インターネット網（ＩＴ）
２０：接続ケーブル
２０−１：無線リンク
３０：携帯端末機
１ａ：制御回路（ＣＰＵ）
１ｂ：携帯電話機５と接続するインターフェイス（Ｉ／Ｆ１）
１ｃ：ＰＣ６と接続するインターフェイス（Ｉ／Ｆ２）
１ｄ：ＰＣを無線で接続する無線送受信回路（ＲＤ）
１ｅ：ＩＣカード及び磁気カードリーダと接続するインターフェイス（Ｉ／Ｆ３）
１ｆ：プログラム記憶メモリ（Ｍ２）
１ｇ：データ記憶メモリ（Ｍ１）
【図１】
0003145118.tif 000003
【図２】
0003145118.tif 000004
【図３】
0003145118.tif 000005
【図４】
0003145118.tif 000006
【図５】
0003145118.tif 000007
【図６】
0003145118.tif 000008
【図７】
0003145118.tif 000009
【手続補正書】
【提出日】平成20年5月15日(2008.5.15)
【手続補正１】
【補正対象書類名】実用新案登録請求の範囲
【補正対象項目名】請求項１
【補正方法】変更
【補正の内容】
【請求項１】
外部情報機器との近距離通信手段として充電器との接続を兼ねたコネクタまたはBluetooth近距離無線通信機構を有する携帯電話機と、該携帯電話機との接続用の第１のコネクタまたはBluetooth近距離通信機構及びコンピュータとの通信手段を成す第２のコネクタとＩＣカード及び磁気カードのデータを読み込む手段を組み込んでなる該携帯電話機をコンピュータに接続する手段としての携帯電話機のクレードル（台座）と、該クレードル経由にて該携帯電話機を携帯電話網に接続制御し携帯電話網経由にて接続した接続先の情報システムから受信したデータを受け取る機能を標準的なクレジットカード決済（ＣＡＴ）端末通信機能に追加した通信用ソフトウェアを組み込んだコンピュータからなり、該クレードルと該携帯電話機を第１のコネクタまたはBluetooth近距離無線通信機構にて接続し、該コンピュータと該クレードルの第２のコネクタを通信ケーブルにて接続して該コンピュータに組み込んだ通信用ソフトウェアにて該クレードルを経由して該携帯電話機を接続制御して携帯電話網にて接続した接続先の情報システムに該クレードルの磁気カードのデータ読み込み手段にて読み込んだクレジットカードのデータを送り接続先の情報システムにてデータ処理した結果のデータを受信処理して、該携帯電話機と該クレードルと該コンピュータの組み合わせ機器をクレジットカード決済端末機能として動作させることを特徴とするクレジットカード決済（ＣＡＴ）端末装置
【手続補正２】
【補正対象書類名】実用新案登録請求の範囲
【補正対象項目名】請求項２
【補正方法】変更
【補正の内容】
【請求項２】
外部情報機器との近距離通信手段として充電機との接続を兼ねたコネクタまたはBluetooth近距離無線通信機構を有する携帯電話機と、該携帯電話機との接続用の第１のコネクタまたはBluetooth近距離通信機構及びコンピュータとの通信手段を成す第２のコネクタとＩＣカード及び磁気カードのデータを読み込む手段を組み込んでなる該携帯電話機をコンピュータに接続する手段としての携帯電話機のクレードル（台座）と、該クレードル経由にて該携帯電話機を携帯電話網に接続制御し携帯電話網経由にて接続した接続先の情報システムから受信したデータを受け取る機能を標準的な住民基本台帳端末通信機能に追加した通信用ソフトウェアを組み込んだコンピュータからなり、該クレードルと該携帯電話機を第１のコネクタまたはBluetooth近距離無線通信機構にて接続し、該コンピュータと該クレードルの第２のコネクタを通信ケーブルにて接続して該コンピュータに組み込んだ通信用ソフトウェアにて該クレードルを経由して該携帯電話機を接続制御して携帯電話網にて接続した接続先の情報システムに該クレードルのＩＣカードのデータ読み込み手段にて読み込んだ住民基本台帳カードのデータを送り接続先の情報システムにてデータ処理した結果のデータを受信処理して、該携帯電話機と該クレードルと該コンピュータの組み合わせ機器を住民基本台帳端末機能として動作させることを特徴とする住民基本台帳端末装置
【手続補正３】
【補正対象書類名】実用新案登録請求の範囲
【補正対象項目名】請求項３
【補正方法】変更
【補正の内容】
【請求項３】
携帯電話機の電池の通常の充電機能を有する携帯電話機のクレードル（台座）に、外部情報機器との近距離通信手段としてコネクタまたはBluetooth近距離無線通信機構を有する携帯電話機との接続用の第１のコネクタまたはBluetooth近距離通信機構及びコンピュータとの通信手段を成す第２のコネクタと、ＩＣカード及び磁気カードのデータを読み込む手段を組み込んでなる携帯電話機のクレードル（台座）
【手続補正４】
【補正対象書類名】明細書
【補正対象項目名】０００６
【補正方法】変更
【補正の内容】
【０００６】
本考案は、上述の点に鑑みてなされたもので、携帯電話機をクレジットカード決済（ＣＡＴ）用情報システムまたは住民基本台帳用情報システムに接続制御する通信用ソフトウェアを考案して組み込んだコンピュータと携帯電話機を組み合わせてクレジットカード決済（ＣＡＴ）端末または住民基本台帳システムの利用者端末として動作する端末装置の実現を目的とする。
【手続補正５】
【補正対象書類名】明細書
【補正対象項目名】０００７
【補正方法】変更
【補正の内容】
【０００７】
また、携帯電話機の電池を充電する機構を有するクレードル（台座）に、コンピュータと携帯電話機を組み合わせる手段として磁気カード及びＩＣカードを読み込む機構と携帯電話機との接続手段及びコンピュータとの接続手段を付加したクレードル（台座）の構造と形状を工夫することにより、組み合わせ使用を容易にすること目的とする。
【手続補正６】
【補正対象書類名】明細書
【補正対象項目名】０００８
【補正方法】変更
【補正の内容】
【０００８】
上記目的を達成するために、本考案は、外部情報機器との近距離通信手段として充電器との接続を兼ねたコネクタまたはBluetooth近距離無線通信機構を有する携帯電話機を使用して、該携帯電話機との接続用の第１のコネクタまたはBluetooth近距離通信機構及びコンピュータとの通信手段を成す第２のコネクタと磁気カード及びＩＣカードのデータを読み込む手段を組み込んでなる該携帯電話機をコンピュータに接続する手段としての携帯電話機のクレードル（台座）の構造と形状の考案である。さらに、該クレードル経由にて該携帯電話機を携帯電話網に接続制御し携帯電話網経由にて接続した接続先の情報システムから受信したデータを受け取る機能を、標準的なクレジットカード決済（ＣＡＴ）端末通信機能に追加した通信用ソフトウェアを考案した。これらの考案を組み合わせて、該クレードルと該携帯電話機を第１のコネクタまたはBluetooth近距離無線通信機構にて接続し、コンピュータと該クレードルの第２のコネクタを通信ケーブルにて接続して、該コンピュータに組み込んだ該通信用ソフトウェアにて該クレードルを経由して該携帯電話機を接続制御して携帯電話網にて接続した接続先の情報システムに該クレードルの磁気カードのデータ読み込み手段にて読み込んだクレジットカードのデータを送り接続先の情報システムにてデータ処理した結果のデータを受信処理して、該携帯電話機と該クレードルと該コンピュータの組み合わせ機器をクレジットカード決済（ＣＡＴ）端末として利用できるようにすることを特徴とする利用者用装置を考案した。
【手続補正７】
【補正対象書類名】明細書
【補正対象項目名】０００９
【補正方法】変更
【補正の内容】
【０００９】
また、前記クレードル経由にて前記携帯電話機を携帯電話網に接続制御し携帯電話網経由にて接続した接続先の情報システムから受信したデータを受け取る機能を、標準的な住民基本台帳端末通信機能に追加した通信用ソフトウェアを考案した。前記クレードルと該通信用ソフトウェアの考案を組み合わせて、該クレードルと該携帯電話機を第１のコネクタまたはBluetooth近距離無線通信機構にて接続し、コンピュータと該クレードルの第２のコネクタを通信ケーブルにて接続して、該コンピュータに組み込んだ該通信用ソフトウェアにて該クレードルを経由して該携帯電話機を接続制御して携帯電話網にて接続した接続先の情報システムに該クレードルのＩＣカードのデータ読み込み手段にて読み込んだ住民基本台帳カードのデータを送り接続先の情報システムにてデータ処理した結果のデータを受信処理して、該携帯電話機と該クレードルと該コンピュータの組み合わせ機器を住民基本台帳端末として利用できるようにすることを特徴とする利用者用装置を考案した。
【手続補正８】
【補正対象書類名】明細書
【補正対象項目名】００１５
【補正方法】変更
【補正の内容】
【００１５】
図１において、請求項１のクレジットカード決済（ＣＡＴ）端末装置は、外部情報機器との近距離通信手段として充電器との接続を兼ねたコネクタ２−１を有する携帯電話機５と、携帯電話機をコンピュータに接続する手段として通常の充電機構に加えて該携帯電話機との接続用の第１のコネクタ２及びコンピュータとの通信手段を成す第２のコネクタ３として通常のｍｉｎｉＵＳＢ−Ｂタイプのコネクタを設け磁気カードのデータを読み込む手段である磁気カードリーダ４及びＩＣカードのデータを読み込む手段であるＩＣリーダ４−１を組み込んでなる携帯電話機のクレードル（台座）１と、該クレードル経由にて該携帯電話機を携帯電話網に接続制御し携帯電話網経由にて接続した接続先の情報システムから受信したデータを受け取る機能を標準的なクレジットカード決済（ＣＡＴ）端末通信機能に追加した通信用ソフトウェア６−１を組み込んだコンピュータ６と、該クレードル１をコンピュータ６に接続する接続ケーブル２０として通常のＵＳＢケーブルＵＳＢタイプＢからなる。図１において、請求項２の住民基本台帳端末装置は、外部情報機器との近距離通信手段として充電器との接続を兼ねたコネクタ２−１を有する携帯電話機５と、携帯電話機をコンピュータに接続する手段として通常の充電機構に加えて該携帯電話機との接続用の第１のコネクタ２及びコンピュータとの通信手段を成す第２のコネクタ３として通常のｍｉｎｉＵＳＢ−Ｂタイプのコネクタを設け磁気カードのデータを読み込む手段である磁気カードリーダ４及びＩＣカードのデータを読み込む手段であるＩＣリーダ４−１を組み込んでなる携帯電話機のクレードル（台座）１と、該クレードル経由にて該携帯電話機を携帯電話網に接続制御し携帯電話網経由にて接続した接続先の情報システムから受信したデータを受け取る機能を標準的な住民基本台帳端末通信機能に追加した通信用ソフトウェア６−２を組み込んだコンピュータ６と、該クレードル１をコンピュータ６に接続する接続ケーブル２０として通常のＵＳＢケーブルＵＳＢタイプＢからなる。図１において、携帯電話機５のコネクタ２―１をクレードル１の第１のコネクタ２に挿入し、クレードル１の第２のコネクタ３とコンピュータ６の通常のＵＳＢコネクタ６−３を通常のＵＳＢタイプBケーブルである接続ケーブル２０にて接続する。図１において、通信用ソフトウェア６−１を使用することにより、携帯電話機５とクレードル１とコンピュータ６を組み合わせた装置がクレジットカード決済（ＣＡＴ）端末装置として動作する。また、図１において、通信用ソフトウェア６−２を使用することにより、携帯電話機５とクレードル１とコンピュータ６を組み合わせた装置が住民基本台帳端末装置として動作する。
【手続補正９】
【補正対象書類名】明細書
【補正対象項目名】００１６
【補正方法】変更
【補正の内容】
【００１６】
図１において、クレードル１は、次の機能を有する。
【手続補正１０】
【補正対象書類名】明細書
【補正対象項目名】００１７
【補正方法】変更
【補正の内容】
【００１７】
ア、携帯電話機５の充電機能
イ、コンピュータ６と携帯電話機５の情報の授受を中継
ウ、クレジットカードの情報の読み込み
エ、住民基本台帳カードの情報の読み込み    
オ、コンピュータとの情報の授受      
カ、携帯電話機との情報の授受
図１において、携帯電話機５は、次の機能を有する。
【手続補正１１】
【補正対象書類名】明細書
【補正対象項目名】００１８
【補正方法】変更
【補正の内容】
【００１８】
ア、通常考えられる携帯電話機としての機能
イ、クレードル１との情報の授受
ウ、クレジット会社のサーバと接続してクレジット決済に係わる与信判定や決済情報の授受    
エ、住民基本台帳システムと接続して、住民情報などの授受
図１において、接続ケーブル２０は、コンピュータ６とクレードル１を接続して信号伝達を行う。
【手続補正１２】
【補正対象書類名】明細書
【補正対象項目名】００１９
【補正方法】変更
【補正の内容】
【００１９】
図７は、通常のクレジットカード決済（ＣＡＴ）端末通信機能２１に本考案の携帯電話機を接続制御する機能２２を付加したクレジットカード決済通信用ソフトウェアである通信用ソフトウェア６−１の機能の実施例を示す。本考案の携帯電話機を接続制御する機能２２は、クレードル１経由にて携帯電話機を情報システムに接続する機能、クレードル1の磁気カードリーダから読み込んだデータを携帯電話機経由にて情報システムに送る機能、情報システムの処理結果を携帯電話機経由で受け取る機能、通常のクレジットカード決済（ＣＡＴ）端末通信機能との情報の授受機能からなるように構成する。図８は、該通信用ソフトウェア６−１による、本考案の携帯電話機とクレードルとコンピュータからなるクレジットカード決済（ＣＡＴ）端末装置の動作機能を示す図である。図９は、通常の住民基本台帳端末通信機能２３に本考案の携帯電話機を接続制御する機能２４を付加した住民基本台帳端末通信用ソフトウェアである通信用ソフトウェア６−２の機能の実施例を示す。本考案の携帯電話機を接続制御する機能２４は、クレードル1経由にて携帯電話機を情報システムに接続する機能、クレードル1のＩＣカードリーダから読み込んだデータを携帯電話機経由にて情報システムに送る機能、情報システムの処理結果を携帯電話機経由で受け取る機能、通常の住民基本台帳端末通信機能との情報の授受機能からなるように構成する。図１０は、該通信用ソフトウェア６−２による、本考案の携帯電話機とクレードルとコンピュータからなる住民基本台帳端末装置の動作機能を示す図である。
【手続補正１３】
【補正対象書類名】明細書
【補正対象項目名】００２０
【補正方法】変更
【補正の内容】
【００２０】
図１において、コンピュータ６は、次の機能を有する。
【手続補正１４】
【補正対象書類名】明細書
【補正対象項目名】００２１
【補正方法】変更
【補正の内容】
【００２１】
ア、通常考えられるパソコン機能    
イ、インターネット利用端末の機能      
ウ、携帯電話機５との接続制御        
エ、クレジットカード決済（ＣＡＴ）端末機として動作する通信用ソフトウェア６−１の動作と制御
オ、住民基本台帳端末機として動作する通信用ソフトウェア６−２の動作と制御      
【手続補正１５】
【補正対象書類名】明細書
【補正対象項目名】００２２
【補正方法】変更
【補正の内容】
【００２２】
動作状況は、コンピュータ６の表示装置に表示される。  
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２６
【補正方法】変更
【補正の内容】
【００２６】
図２は、本考案の請求項３に係わるクレードル（台座）の実施の形態を示す装置の外観構造例である。外観形状は、ほかの形にしてもよい。
【手続補正１９】
【補正対象書類名】明細書
【補正対象項目名】００２７
【補正方法】変更
【補正の内容】
【００２７】
本考案のクレードル（台座）１には、携帯電話機を接続する第1のコネクタ２およびコンピュータを接続する第２のコネクタ３と、ＩＣカード及び磁気カードを読み込む磁気カードリーダ４及びＩＣカードリーダ４−１を前側面下部に内蔵する構造としている。ＩＣカード及び磁気カードを読み込む磁気カードリーダ４及びＩＣカードリーダ４−１はクレードルの前面または側面に設ける構造にしてもよい。また、携帯電話を接続する第１のコネクタ２の代わりに、Bluetooth近距離通信機構を設けてBluetooth近距離通信機構を有する携帯電話機を使用して、Bluetooth近距離通信にて携帯電話機との情報の授受をするように構成してもよい。図３は、該クレードル１とコンピュータ６との接続例を示す図である。図３において、第２のコネクタ３は通常ｍｉｎｉＵＳＢ−Ｂタイプのコネクタを使用し、接続ケーブル２０としてＵＳＢケーブルＵＳＢタイプＢを使用してコンピュータと接続するように構成する。図４は、該クレードル１と携帯電話機５との接続例を示す図であり、携帯電話機５のコネクタ２−１を図３に示す第1のコネクタ２に差し込んで接続した形状を示す。図４において、第２のコネクタ３はコンピュータとの接続用のＵＳＢコネクタであり、通常のＵＳＢケーブルである接続ケーブル２０のコネクタを差し込んで接続する。図５は、クレードル１を構成する部品（ハードウェア）構成の実施例である。図５において、第１のコネクタ２は携帯電話機の有するコネクタと接続できるコネクタ部品にて構成し、携帯電話制御ドライバは通常の第１のコネクタに接続した携帯電話機を制御する集積回路部品にて構成する。図５において第２のコネクタ３は通常のｍｉｎｉＵＳＢ−Ｂタイプのコネクタ部品にて構成し、ＵＳＢドライバは通常のＵＳＢを制御する集積回路部品にて構成する。図５において、磁気カードリーダ４は通常の磁気カードリーダ部品にて構成し、磁気カードリーダドライバは通常の磁気カードリーダを制御する集積回路部品にて構成する。図５において、ＩＣカードリーダ４−１は通常のＩＣカードリーダ部品にて構成し、ＩＣカードリーダドライバは通常のＩＣカードリーダを制御する集積回路部品にて構成する。図５において、マイクロプロセッサは、クレードル組み込みソフトウェアを格納して動作させるように通常の組み込み用マイクロプロセッサと関連集積回路部品にて構成する。図５において、充電機構１９は通常のクレードルが有する機構である。図６は、図５に示す部品（ハードウェア）を制御するクレードル組み込みソフトウェアの構成の実施例である。図６は、図５に示す部品（ハードウェア）構成を制御するクレードル組み込みソフトウェアの構成の実施例である。図６において、携帯電話通信デバイスドライバは、第１のコネクタ２に接続した携帯電話機との情報の授受を制御するように構成する。磁気カードリーダデバイスドライバは、磁気カードリーダ４からデータを読み込み制御して該データをＵＳＢデバイスドライバに受け渡すように構成する。ＩＣカードリーダデバイスドライバは、ＩＣカードリーダ４−１からデータを読み込み制御して該データをＵＳＢドライバに受け渡すように構成する。ＵＳＢドライバは、携帯電話通信デバイスドライバとの情報の授受と、磁気���ードリーダデバイスドライバまたはＩＣカードリーダデバイスドライバとのデータの受け渡しを行うと共に、第２のコネクタ３に接続したコンピュータと情報の授受をするように構成する。
【手続補正２０】
【補正対象書類名】明細書
【補正対象項目名】００２８
【補正方法】変更
【補正の内容】
【００２８】
図２において、クレードル（台座）１は、通常のクレードルが有する携帯電話機の電池の充電機能に加えて、本考案の構成にすることにより、次の機能を有する装置となる。
【手続補正２１】
【補正対象書類名】明細書
【補正対象項目名】００２９
【補正方法】変更
【補正の内容】
【００２９】
ア、携帯電話機の通常の充電機能
イ、コンピュータ６と携帯電話機５との情報の授受を中継
ウ、クレジットカード（磁気カード）の情報の読み込み
エ、住民基本台帳カード（ＩＣカード）の情報の読み込み  
オ、コンピュータとの情報の授受  
カ、携帯電話機５との情報の授受
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
図１:本考案に係わる端末装置の構成を示す概念図である。コンピュータと携帯電話機
と本考案のクレードル（台座）と、これらを接続してクレジットカード決済（ＣＡＴ）端末機能または住民基本台帳システムの利用者端末機能を制御するソフトウェアの組合せによる利用者用端末装置である。
図２:本考案に係わる端末装置を構成する携帯電話機のクレードル（台座）の外観構造
の形状図である。
図３:本考案に係わるクレードルとコンピュータの接続を示す構成図である。
図４:本考案に係わる携帯電話機とクレードルの接続を示す外観構造の形状図である。
図５:本考案に係わるクレードルの内部の部品（ハードウェア）の構成図である。
図６:本考案に係わるクレードルの内部の部品（ハードウェア）を制御
する組み込みソフトウェアの機能の構成図である
図７:本考案に係わるクレジットカード決済（ＣＡＴ）端末通信用ソフトウェアの通常
の機能と本考案の機能の組み合わせ図である。
図８:本考案に係わるクレジットカード決済（ＣＡＴ）端末の動作時の機能を示す図で
ある。
図９:本考案に係わる住民基本台帳端末通信用ソフトウェアの通常の機能と本考案の機
能の組み合わせ図である。
図１０:本考案に係わる住民基本台帳端末の動作時の機能を示す図である。
【手続補正２６】
【補正対象書類名】明細書
【補正対象項目名】００３４
【補正方法】変更
【補正の内容】
【００３４】
１：本考案のクレードル
２：クレードルに設ける携帯電話機と接続する第１のコネクタ
２−１：携帯電話機のコネクタ
３：クレードルに設けるコンピュータと接続する第１のコネクタ（ＵＳＢコネクタ）
４：クレードルに内蔵する磁気カードリーダ
４−１：クレードルに内蔵するＩＣカードリーダ
５：近距離通信手段を有する携帯電話機
６：コンピュータ
６−１：クレジットカード決済（ＣＡＴ）端末機能を実現する通信用ソフトウェア
６−２：住民基本台帳端末機能を実現する通信用ソフトウェア
６−３：コンピュータに装備された通常のＵＳＢコネクタ
１０：集積回路部品からなる携帯電話制御ドライバ
１１：集積回路部品からなる通常の磁気カードリーダドライバ    
１２：集積回路部品からなる通常のＩＣカードリーダドライバ
１３：集積回路部品からなる通常のＵＳＢドライバ
１４：関連集積回路を含む組み込み用マイクロプロセッサ
１５：クレードルに組み込む携帯電話通信デバイスドライバソフト
１６：クレードルに組み込むＵＳＢデバイスドライバソフト
１７：クレードルに組み込む磁気カードリーダデバイスドライバソフト
１８：クレードルに組み込むＩＣカードリーダデバイスドライバソフト
１９：通常のクレードルが有する充電機構
２０：接続ケーブル（通常のＵＳＢケーブル）
２１：通常のクレジットカード決済（ＣＡＴ）端末通信機能
２２：携帯電話機を接続制御する２１に付加する機能
２３：通常の住民基本台帳端末通信機能
２４：携帯電話機を接続制御する２３に付加する機能
【手続補正２７】
【補正対象書類名】図面
【補正対象項目名】全図
【補正方法】変更
【補正の内容】
【図１】
0003145118.tif 000010
【図２】
0003145118.tif 000011
【図３】
0003145118.tif 000012
【図４】
0003145118.tif 000013
【図５】
0003145118.tif 000014
【図６】
0003145118.tif 000015
【図７】
0003145118.tif 000016
【手続補正２８】
【補正対象書類名】図面
【補正対象項目名】図８
【補正方法】追加
【補正の内容】
【図８】
0003145118.tif 000017
【手続補正２９】
【補正対象書類名】図面
【補正対象項目名】図９
【補正方法】追加
【補正の内容】
【図９】
0003145118.tif 000018
【手続補正３０】
【補正対象書類名】図面
【補正対象項目名】図１０
【補正方法】追加
【補正の内容】
【図１０】
0003145118.tif 000019
【手続補正書】
【提出日】平成20年7月16日(2008.7.16)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
外部情報機器との近距離通信手段として充電器との接続を兼ねたコネクタまたは「Ｂｌｕｅｔｏｏｔｈ（登録商標）」近距離無線通信機構を有する携帯電話機と、該携帯電話機との接続用の第１のコネクタまたは「Ｂｌｕｅｔｏｏｔｈ（登録商標）」近距離通信機構及びコンピュータとの通信手段を成す第２のコネクタとＩＣカード及び磁気カードのデータを読み込む手段を組み込んでなる該携帯電話機をコンピュータに接続する手段としての携帯電話機のクレードル（台座）と、該クレードル経由にて該携帯電話機を携帯電話網に接続制御し携帯電話網経由にて接続した接続先の情報システムから受信したデータを受け取る機能を標準的なクレジットカード決済（ＣＡＴ）端末通信機能に追加した通信用ソフトウェアを組み込んだコンピュータからなり、該クレードルと該携帯電話機を第１のコネクタまたは「Ｂｌｕｅｔｏｏｔｈ（登録商標）」近距離無線通信機構にて接続し、該コンピュータと該クレードルの第２のコネクタを通信ケーブルにて接続して該コンピュータに組み込んだ通信用ソフトウェアにて該クレードルを経由して該携帯電話機を接続制御して携帯電話網にて接続した接続先の情報システムに該クレードルの磁気カードのデータ読み込み手段にて読み込んだクレジットカードのデータを送り接続先の情報システムにてデータ処理した結果のデータを受信処理して、該携帯電話機と該クレードルと該コンピュータの組み合わせ機器をクレジットカード決済端末機能として動作させることを特徴とするクレジットカード決済（ＣＡＴ）端末装置
【手続補正２】
【補正対象書類名】手続補正書
【補正対象項目名】手続補正２
【補正方法】変更
【補正の内容】
【手続補正２】
【補正対象書類名】実用新案登録請求の範囲
【補正対象項目名】請求項２
【補正方法】変更
【補正の内容】
【請求項２】
外部情報機器との近距離通信手段として充電機との接続を兼ねたコネクタまたは「Ｂｌｕｅｔｏｏｔｈ（登録商標）」近距離無線通信機構を有する携帯電話機と、該携帯電話機との接続用の第１のコネクタまたは「Ｂｌｕｅｔｏｏｔｈ（登録商標）」近距離通信機構及びコンピュータとの通信手段を成す第２のコネクタとＩＣカード及び磁気カードのデータを読み込む手段を組み込んでなる該携帯電話機をコンピュータに接続する手段としての携帯電話機のクレードル（台座）と、該クレードル経由にて該携帯電話機を携帯電話網に接続制御し携帯電話網経由にて接続した接続先の情報システムから受信したデータを受け取る機能を標準的な住民基本台帳端末通信機能に追加した通信用ソフトウェアを組み込んだコンピュータからなり、該クレードルと該携帯電話機を第１のコネクタまたは「Ｂｌｕｅｔｏｏｔｈ（登録商標）」近距離無線通信機構にて接続し、該コンピュータと該クレードルの第２のコネクタを通信ケーブルにて接続して該コンピュータに組み込んだ通信用ソフトウェアにて該クレードルを経由して該携帯電話機を接続制御して携帯電話網にて接続した接続先の情報システムに該クレードルのＩＣカードのデータ読み込み手段にて読み込んだ住民基本台帳カードのデータを送り接続先の情報システムにてデータ処理した結果のデータを受信処理して、該携帯電話機と該クレードルと該コンピュータの組み合わせ機器を住民基本台帳端末機能として動作させることを特徴とする住民基本台帳端末装置
【手続補正３】
【補正対象書類名】手続補正書
【補正対象項目名】手続補正３
【補正方法】変更
【補正の内容】
【手続補正３】
【補正対象書類名】実用新案登録請求の範囲
【補正対象項目名】請求項３
【補正方法】変更
【補正の内容】
【請求項３】
携帯電話機の電池の通常の充電機能を有する携帯電話機のクレードル（台座）に、外部情報機器との近距離通信手段としてコネクタまたは「Ｂｌｕｅｔｏｏｔｈ（登録商標）」近距離無線通信機構を有する携帯電話機との接続用の第１のコネクタまたは「Ｂｌｕｅｔｏｏｔｈ（登録商標）」近距離通信機構及びコンピュータとの通信手段を成す第２のコネクタと、ＩＣカード及び磁気カードのデータを読み込む手段を組み込んでなる携帯電話機のクレードル（台座）
【手続補正４】
【補正対象書類名】手続補正書
【補正対象項目名】手続補正６
【補正方法】変更
【補正の内容】
【手続補正６】
【補正対象書類名】明細書
【補正対象項目名】０００８
【補正方法】変更
【補正の内容】
【０００８】
上記目的を達成するために、本考案は、外部情報機器との近距離通信手段として充電器との接続を兼ねたコネクタまたは「Ｂｌｕｅｔｏｏｔｈ（登録商標）」近距離無線通信機構を有する携帯電話機を使用して、該携帯電話機との接続用の第１のコネクタまたは「Ｂｌｕｅｔｏｏｔｈ（登録商標）」近距離通信機構及びコンピュータとの通信手段を成す第２のコネクタと磁気カード及びＩＣカードのデータを読み込む手段を組み込んでなる該携帯電話機をコンピュータに接続する手段としての携帯電話機のクレードル（台座）の構造と形状の考案である。さらに、該クレードル経由にて該携帯電話機を携帯電話網に接続制御し携帯電話網経由にて接続した接続先の情報システムから受信したデータを受け取る機能を、標準的なクレジットカード決済（ＣＡＴ）端末通信機能に追加した通信用ソフトウェアを考案した。これらの考案を組み合わせて、該クレードルと該携帯電話機を第１のコネクタまたは「Ｂｌｕｅｔｏｏｔｈ（登録商標）」近距離無線通信機構にて接続し、コンピュータと該クレードルの第２のコネクタを通信ケーブルにて接続して、該コンピュータに組み込んだ該通信用ソフトウェアにて該クレードルを経由して該携帯電話機を接続制御して携帯電話網にて接続した接続先の情報システムに該クレードルの磁気カードのデータ読み込み手段にて読み込んだクレジットカードのデータを送り接続先の情報システムにてデータ処理した結果のデータを受信処理して、該携帯電話機と該クレードルと該コンピュータの組み合わせ機器をクレジットカード決済（ＣＡＴ）端末として利用できるようにすることを特徴とする利用者用装置を考案した。
【手続補正５】
【補正対象書類名】手続補正書
【補正対象項目名】手続補正７
【補正方法】変更
【補正の内容】
【手続補正７】
【補正対象書類名】明細書
【補正対象項目名】０００９
【補正方法】変更
【補正の内容】
【０００９】
また、前記クレードル経由にて前記携帯電話機を携帯電話網に接続制御し携帯電話網経由にて接続した接続先の情報システムから受信したデータを受け取る機能を、標準的な住民基本台帳端末通信機能に追加した通信用ソフトウェアを考案した。前記クレードルと該通信用ソフトウェアの考案を組み合わせて、該クレードルと該携帯電話機を第１のコネクタまたは「Ｂｌｕｅｔｏｏｔｈ（登録商標）」近距離無線通信機構にて接続し、コンピュータと該クレードルの第２のコネクタを通信ケーブルにて接続して、該コンピュータに組み込んだ該通信用ソフトウェアにて該クレードルを経由して該携帯電話機を接続制御して携帯電話網にて接続した接続先の情報システムに該クレードルのＩＣカードのデータ読み込み手段にて読み込んだ住民基本台帳カードのデータを送り接続先の情報システムにてデータ処理した結果のデータを受信処理して、該携帯電話機と該クレードルと該コンピュータの組み合わせ機器を住民基本台帳端末として利用できるようにすることを特徴とする利用者用装置を考案した。
【手続補正６】
【補正対象書類名】手続補正書
【補正対象項目名】手続補正１９
【補正方法】変更
【補正の内容】
【手続補正１９】
【補正対象書類名】明細書
【補正対象項目名】００２７
【補正方法】変更
【補正の内容】
【００２７】
本考案のクレードル（台座）１には、携帯電話機を接続する第1のコネクタ２およびコンピュータを接続する第２のコネクタ３と、ＩＣカード及び磁気カードを読み込む磁気カードリーダ４及びＩＣカードリーダ４−１を前側面下部に内蔵する構造としている。ＩＣカード及び磁気カードを読み込む磁気カードリーダ４及びＩＣカードリーダ４−１はクレードルの前面または側面に設ける構造にしてもよい。また、携帯電話を接続する第１のコネクタ２の代わりに、「Ｂｌｕｅｔｏｏｔｈ（登録商標）」近距離通信機構を設けて「Ｂｌｕｅｔｏｏｔｈ（登録商標）」近距離通信機構を有する携帯電話機を使用して、「Ｂｌｕｅｔｏｏｔｈ（登録商標）」近距離通信にて携帯電話機との情報の授受をするように構成してもよい。図３は、該クレードル１とコンピュータ６との接続例を示す図である。図３において、第２のコネクタ３は通常ｍｉｎｉＵＳＢ−Ｂタイプのコネクタを使用し、接続ケーブル２０としてＵＳＢケーブルＵＳＢタイプＢを使用してコンピュータと接続するように構成する。図４は、該クレードル１と携帯電話機５との接続例を示す図であり、携帯電話機５のコネクタ２−１を図３に示す第1のコネクタ２に差し込んで接続した形状を示す。図４において、第２のコネクタ３はコンピュータとの接続用のＵＳＢコネクタであり、通常のＵＳＢケーブルである接続ケーブル２０のコネクタを差し込んで接続する。図５は、クレードル１を構成する部品（ハードウェア）構成の実施例である。図５において、第１のコネクタ２は携帯電話機の有するコネクタと接続できるコネクタ部品にて構成し、携帯電話制御ドライバは通常の第１のコネクタに接続した携帯電話機を制御する集積回路部品にて構成する。図５において第２のコネクタ３は通常のｍｉｎｉＵＳＢ−Ｂタイプのコネクタ部品にて構成し、ＵＳＢドライバは通常のＵＳＢを制御する集積回路部品にて構成する。図５において、磁気カードリーダ４は通常の磁気カードリーダ部品にて構成し、磁気カードリーダドライバは通常の磁気カードリーダを制御する集積回路部品にて構成する。図５において、ＩＣカードリーダ４−１は通常のＩＣカードリーダ部品にて構成し、ＩＣカードリーダドライバは通常のＩＣカードリーダを制御する集積回路部品にて構成する。図５において、マイクロプロセッサは、クレードル組み込みソフトウェアを格納して動作させるように通常の組み込み用マイクロプロセッサと関連集積回路部品にて構成する。図５において、充電機構１９は通常のクレードルが有する機構である。図６は、図５に示す部品（ハードウェア）を制御するクレードル組み込みソフトウェアの構成の実施例である。図６は、図５に示す部品（ハードウェア）構成を制御するクレードル組み込みソフトウェアの構成の実施例である。図６において、携帯電話通信デバイスドライバは、第１のコネクタ２に接続した携帯電話機との情報の授受を制御するように構成する。磁気カードリーダデバイスドライバは、磁気カードリーダ４からデータを読み込み制御して該データをＵＳＢデバイスドライバに受け渡すように構成する。ＩＣカードリーダデバイスドライバは、ＩＣカードリーダ４−１からデータを読み込み制御して該データをＵＳＢドライバに受け渡す���うに構成する。ＵＳＢドライバは、携帯電話通信デバイスドライバとの情報の授受と、磁気カードリーダデバイスドライバまたはＩＣカードリーダデバイスドライバとのデータの受け渡しを行うと共に、第２のコネクタ３に接続したコンピュータと情報の授受をするように構成する。
【手続補正７】
【補正対象書類名】手続補正書
【補正対象項目名】手続補正２５
【補正方法】変更
【補正の内容】
【手続補正２５】
【補正対象書類名】明細書
【補正対象項目名】００３３
【補正方法】変更
【補正の内容】
【００３３】
【図１】本考案に係わる端末装置の構成を示す概念図である。コンピュータと携帯電話機と本考案のクレードル（台座）と、これらを接続してクレジットカード決済（ＣＡＴ）端末機能または住民基本台帳システムの利用者端末機能を制御するソフトウェアの組合せによる利用者用端末装置である。
【図２】本考案に係わる端末装置を構成する携帯電話機のクレードル（台座）の外観構造の形状図である。
【図３】本考案に係わるクレードルとコンピュータの接続を示す構成図である。
【図４】本考案に係わる携帯電話機とクレードルの接続を示す外観構造の形状図である。
【図５】本考案に係わるクレードルの内部の部品（ハードウェア）の構成図である。
【図６】本考案に係わるクレードルの内部の部品（ハードウェア）を制御する組み込みソフトウェアの機能の構成図である
【図７】本考案に係わるクレジットカード決済（ＣＡＴ）端末通信用ソフトウェアの通常の機能と本考案の機能の組み合わせ図である。
【図８】本考案に係わるクレジットカード決済（ＣＡＴ）端末の動作時の機能を示す図である。
【図９】本考案に係わる住民基本台帳端末通信用ソフトウェアの通常の機能と本考案の機能の組み合わせ図である。
【図１０】本考案に係わる住民基本台帳端末の動作時の機能を示す図である。